(57)【特許請求の範囲】
【請求項１】
水を放流する暗渠式の水路の開口部に水に浸らないように設置されるかごと、
前記かごの底面に設置され水面で発生し前記かご内に進入してくる泡を潰すと共に潰しきれなかった細かい泡を通過させる網状部材と、
前記網状部材を通過した泡を潰すと共に潰しきれなかったさらに細かい泡を通過させるフィルタと、
前記かごに収納され前記フィルタを通過した泡を擦り潰して液状にする複数個の球体とを備えたことを特徴とする泡消し装置。
【請求項２】
水を放流する暗渠式の水路に一部が海水に浸漬して設置されるかごと、
前記かごの底面および側面に設置され水面で発生し前記かご内に進入してくる泡を潰すと共に潰しきれなかった細かい泡を通過させる網状部材と、
前記かごに収納され前記網状部材を通過した泡を擦り潰して液状にする複数個の球体とを備えたことを特徴とする泡消し装置。
【発明の詳細な説明】
【技術分野】
【０００１】
本発明は、水面で発生し水路の開口部から噴出する泡を消去する泡消し装置に関する。
【背景技術】
【０００２】
例えば、発電所においては、発電設備を構成する各種機器の冷却に海水が使用されており、海水の取り入れや排水のために水路が設けられている。このような水路のほとんどは暗渠式になっており、水路には空気抜きの開口部が設けられている。この水路を流れる海水には種々の原因で泡が発生する。特に春先より秋にかけ水路には大量の泡が発生し、水路の開口部から地上部へ泡が多量に噴き出すことがある。
【０００３】
図６は水路の上面壁の開口部から地上部へ泡が噴き出す現象の説明図である。暗渠式の水路１１には海水１２が流れており、泡１３は海水１２の流れによって下流側に流される。この場合、潮位等によって泡１３は水路１１の上面壁１４の開口部１５において地上部へ噴き出してくる。地上部に溢れ出た泡１３を放置すると美観はもとより異臭が発生するだけでなく、周辺機器が腐食することもある。そこで、発生した泡１３を消去するようにしている。
【０００４】
海面上に浮遊する大量の泡を効率よく消去するものとして、泡を気体と液体に分離するセパレートタンク内を吸引手段により大気圧力よりも低圧に保持して、吸い込みラインを通して泡をセパレートタンクに吸い込み、セパレートタンクでは吸い込んだ泡を液化して貯溜し排出するようにしたものがある（例えば、特許文献１参照）。
【０００５】
また、水路中に堰を設けて泡を集積し、堰で集積した泡を吸引管を介して蒸気エゼクターに吸引し、蒸気エゼクターで泡を破壊して消泡するようにしたものがある（特許文献２参照）。
【特許文献１】特開２０００−３４２９０５号公報
【特許文献２】実開平２−７０７０２号公報
【発明の開示】
【発明が解決しようとする課題】
【０００６】
しかし、特許文献１のものでは、セパレートタンクや吸引手段等の設備が必要となり、またセパレートタンクに泡を吸引するための動力が必要となる。一方、特許文献２のものでも、泡を集積する堰や蒸気エゼクター等の設備が必要となり、また、蒸気エゼクターを動作させるための動力が必要となる。また、泡発生のタイミングが分からないので、これら設備の稼動タイミングが適切に行われないと、泡を適切に消去できないことがある。
【０００７】
本発明の目的は、泡消しのための動力を必要とせず比較的簡単な設備でタイミング良く泡を消去できる泡消し装置を提供することである。
【課題を解決するための手段】
【０００８】
請求項１の発明に係わる泡消し装置は、水を放流する暗渠式の水路の開口部に水に浸らないように設置されるかごと、前記かごの底面に設置され水面で発生し前記かご内に進入してくる泡を潰すと共に潰しきれなかった細かい泡を通過させる網状部材と、前記網状部材を通過した泡を潰すと共に潰しきれなかったさらに細かい泡を通過させるフィルタと、前記かごに収納され前記フィルタを通過した泡を擦り潰して液状にする複数個の球体とを備えたことを特徴とする。
【０００９】
請求項２の発明に係わる泡消し装置は、水を放流する暗渠式の水路に一部が海水に浸漬して設置されるかごと、前記かごの底面および側面に設置され水面で発生し前記かご内に進入してくる泡を潰すと共に潰しきれなかった細かい泡を通過させる網状部材と、前記かごに収納され前記網状部材を通過した泡を擦り潰して液状にする複数個の球体とを備えたことを特徴とする。
【発明の効果】
【００１０】
本発明によれば、かご内に進入してくる泡を網状部材で潰し、潰しきれなかった泡をかご内の複数個の球体の回転により擦り潰して泡を液状にするので、泡消しのための動力を必要とせずに比較的簡単な設備で泡を消去できる。また、かご内に進入してきた泡をその時点で潰すように作用するので、泡の発生タイミングに関係なく適切に泡を消去できる。
【発明を実施するための最良の形態】
【００１１】
以下、本発明の実施の形態を説明する。図１は本発明の第１の実施の形態に係わる泡消し装置の構成を示す分解斜視図、図２は本発明の第１の実施の形態に係わる泡消し装置を暗渠式の水路の開口部に設置した場合の断面図である。
【００１２】
図１において、第１の実施の形態に係わる泡消し装置は、かご１６の底面に網状部材１７を配置し、さらにその網状部材１７の上部にフィルタ１８を配置し、そのフィルタ１８の上部に複数個の球体１９を収納して構成される。かご１６は各面が網目で形成された直方体で形成され、網状部材１７はかご１６の網目より小さい網目を有する。
【００１３】
図２に示すように、泡消し装置は、例えば、海水を放流する暗渠式の水路１１の上面壁１４に設けられた開口部１５に、かご１６が海水１２に浸らないように設置される。従って、海水１２の表面で発生した泡１３のほとんどは、かご１６の底面からかご１６内に進入してくることになる。かご１６内に進入してくる泡１３は、まず、網状部材１７により、かご１６の網目より小さい網目の網状部材１７で潰される。この網状部材１７で潰しきれなかった細かい泡は、さらにフィルタ１８で潰され、フィルタ１８でも潰しきれなかった泡は、複数個の球体１９の表面で擦り潰されることになる。すなわち、下方からの泡の噴き上げと球体１９の自重により球体１９が回転し、その回転に伴う隣り合う球体１９の表面の擦れにより泡を潰す。
【００１４】
図３は、泡消し装置での泡消しのメカニズムの説明図である。海水１２の表面に発生した泡１３は網状部材１７を通り、網状部材１７の網目より小さい泡１３Ａとなる。つまり、網状部材１７の網目より大きな泡は網状部材１７で潰され、網状部材１７の網目より小さい泡１３Ａが網状部材１７を通過することになる。次に、この網状部材１７で潰しきれなかった細かい泡１３Ａはフィルタ１８を通り、フィルタ１８のろ過粒径より小さい泡１３Ｂとなる。つまり、フィルタ１８のろ過粒径より大きな泡はフィルタ１８で潰され、フィルタ１８のろ過粒径より小さい泡１３Ｂがフィルタ１８を通過することになる。
【００１５】
そして、フィルタ１８でも潰しきれなかった泡１３Ｂは、複数個の球体１９の表面で擦り潰されることになる。すなわち、下方からの泡１３Ｂの噴き上げにより、球体１９は一時的上方に浮き上がり上方に移動しようとし、一方、泡１３Ｂの噴き上げが減少すると、球体１９の自重により球体１９は下方に移動しようとする。この球体１９に作用する力により球体１９が回転し、その回転に伴い隣り合う球体１９の表面が擦れる。これにより、フィルタ１８を通過した細かい泡１３Ｂを擦り潰す。球体１９の回転によって擦り潰された泡１３Ｂは液体２０となり下部の水路１１に戻される。
【００１６】
ここで、球体１９の表面に凹凸を設けるようにしてもよい。凹凸を設けることによって泡１３Ｂを潰す効率を向上させることができる。球体１９の個数は、フィルタ１８を通過した泡１３Ｂの量に応じて決めることになる。また、かご１６の底面に網状部材１７を設けるようにしたが、かご１６の底面だけでなく側面にも網状部材１７を設けるようにしてもよい。
【００１７】
第１の実施の形態によれば、かご１６内に球体１９を設置し、泡が噴き出してくる力を使用して回転させて泡を潰すので、泡消しのための動力を必要とせずに比較的簡単な設備で泡を消去できる。また泡の発生タイミングに合わせてリアルタイムで泡を消去できる。また、泡の噴き出し量に応じて球体１９の個数を選択できるので、泡の噴き出し量に応じて泡を消去できる。
【００１８】
次に、本発明の第２の実施の形態を説明する。図４は本発明の第２の実施の形態に係わる泡消し装置の分解斜視図、図５は本発明の第２の実施の形態に係わる泡消し装置を暗渠式の水路の開口部に設置した場合の断面図である。
【００１９】
この第２の実施の形態は、図１に示した第１の実施の形態に対し、かご１６の底面および側面に網状部材１７を設け、フィルタ１８を省略して、かご１６の一部を海水に浸漬して設置するようにしたものである。
【００２０】
図４において、第２の実施の形態に係わる泡消し装置は、かご１６の底面および側面に網状部材１７を配置し、複数個の球体１９をかご１６内に収納して構成される。かご１６は各面が網目で形成された直方体で形成され、各々の網状部材１７はかご１６の網目より小さい網目を有する。
【００２１】
図５に示すように、泡消し装置は、例えば、海水を放流する暗渠式の水路１１の上面壁１４に設けられた開口部１５に、かご１６の一部が海水１２に浸漬するように設置される。これにより、海水１２に浸漬されたかご１６の球体１９は海水の流れの力を受け回転する。また、海水１２の表面で発生した泡１３は、かご１６の側面からかご１６内に進入してくることになる。かご１６内に進入してくる泡１３は網状部材１７で潰され、この網状部材１７で潰しきれなかった細かい泡は、複数個の球体１９の表面で擦り潰されることになる。すなわち、海水１２の流れでかご１６内の球体１９が回転し、その回転に伴う隣り合う球体１９の表面の擦れにより泡を潰す。
【００２２】
第２の実施の形態においても、球体１９の表面に凹凸を設けるようにしてもよい。凹凸を設けることによって泡１３Ｂを潰す効率を向上させることができる。球体１９の個数は、フィルタ１８を通過した泡１３Ｂの量に応じて決めることになる。また、泡消し装置の設置場所は、必ずしも水路１１の開口部１５でなくとも良い。開口部１５から離れた水路１１内で上面壁１４に取り付けるようにしてもよい。
【００２３】
第２の実施の形態によれば、かご１６内に球体１９を設置し、海水の流れる力を使用して球体１９を回転させて泡を潰すので、泡消しのための動力を必要とせずに比較的簡単な設備で泡を消去できる。また、泡の発生タイミングに合わせてリアルタイムで泡を消去できる。
【図面の簡単な説明】
【００２４】
【図１】本発明の第１の実施の形態に係わる泡消し装置の構成を示す分解斜視図。
【図２】本発明の第１の実施の形態に係わる泡消し装置を暗渠式の水路の開口部に設置した場合の断面図。
【図３】本発明の第１の実施の形態に係わる泡消し装置での泡消しのメカニズムの説明図。
【図４】本発明の第２の実施の形態に係わる泡消し装置の分解斜視図。
【図５】本発明の第２の実施の形態に係わる泡消し装置を暗渠式の水路の開口部に設置した場合の断面図。
【図６】従来の水路の開口部から地上部へ泡が噴き出す現象の説明図。
【符号の説明】
【００２５】
１１…水路、１２…海水、１３…泡、１４…上面壁、１５…開口部、１６…かご、１７…網状部材、１８…フィルタ、１９…球体、２０…液体
【図１】
0004604947.tif 000002
【図２】
0004604947.tif 000003
【図３】
0004604947.tif 000004
【図４】
0004604947.tif 000005
【図５】
0004604947.tif 000006
【図６】
0004604947.tif 000007